Podtech/llm-jp-corpus-v4-ja_patent huggingface dataset:
(57)【要約】      （修正有）【課題】通帳等の大切な物を入れておくことができ、また避難時にはくるくる丸めて取付けのゴム紐で自分の体に固定して、持ち出すことができる枕元ポケットを提供する。【解決手段】基布の巾は枕を置いた時にその下端が揃う程度とし、長さは左右を布団の下に普通に折込める長さとする。その両端に布製の輪を取付けゴム紐を通し就寝中に動かないようにする。大のポケット１を中央の枕の当る部分に作成し、ファスナーを取付ける。その左右に小のポケット２,３,４,５を作成し、各１箇所マジックテープを取付けポケットを閉じることができるようにする。暗闇でも取出し口が判別できるように夜光塗料を施したビニールテープ付のマジックテープを取出し口の表面に取付ける。【選択図】図１
2005253912.tif 000002
【特許請求の範囲】
【請求項１】
１枚の長方形の布を基布とし、それを底面としてその上部中央に大のポケットを作成し、左右に小のポケットを２つずつ作成する。
【請求項２】
基布は左右に敷布団の下に折り込む部分を有し、その両端に布製の輪を取付け、ゴムひもを通し就寝中に動かないようにする。
【請求項３】
中央の大のポケットにファスナーを取付け、左右の小のポケットにマジックテープを取付け、ポケットを閉じることができるようにする。
【請求項４】
ポケットの取出し口の表面に、夜光塗料を施したビニールテープ付のマジックテープを取付け暗闇でもその位置が判別できるようにする。
【発明の詳細な説明】
【技術分野】
【０００１】  この発明は就寝中に地震等の災害に遭った時に、すぐに必要なペンライトや眼鏡、毎日飲む薬等を入れる袋を枕の左右に配し、枕下には通帳等の大切な物を入れておくことができる袋を作成した枕元のポケットである。また避難時には、この袋をくるくる丸めて取付けのゴム紐で自分の体に固定して、持ち出すことができるという物である。
【背景技術】
【０００２】  従来この分野の物は無し
【発明の開示】
【発明が解決しようとする課題】
【０００３】  就寝中に地震等の災害に遭った時に、すぐに必要なペンライトや眼鏡、毎日飲まなければならない薬等は、従来はサイドキャビネットに入れたり、枕元に箱を置いて入れたりしていたが、強度の地震では位置がずれたりして、手探りで探すのに時間がかかることもあるかと思われる。
本発明は以上の問題点を解決するため、強度の地震でも、自分の枕で押さえているため位置がずれる事も無く、横になったままでも手を伸ばせば必要な物が取出せ、迅速に次の動作に移れるための枕元ポケットを提供するものである。
【課題を解決するための手段】
【０００４】  １枚の長方形の基布を底面にしてポケットを作成する。基布の巾は枕を置いた時にその下端が揃う程度とし、長さは左右を布団の下に普通に折込める長さとする。その両端に布製の輪を取付けゴム紐を通し就寝中に動かないようにする。
大のポケット（１）を中央の枕の当る部分に作成し、ファスナーを取付ける。その左右に小のポケット（２）（３）（４）（５）を作成し、各１箇所マジックテープを取付けポケットを閉じることができるようにする。
暗闇でも取出し口が判別できるように夜光塗料を施したビニールテープ付のマジックテープを取出し口の表面に取付ける。非常時にはこの枕元ポケットをファスナーに沿って、中央で内側に２つ折りにしてくるくる巻いて、取付けのゴム紐で自分の腕等に固定して避難することができる。このゴム紐が伸びてしまったときは、市販品に取替えることができる。
【発明の効果】
【０００５】  本発明を使用することにより就寝中の災害時に暗闇で懐中電灯を探したり、眼鏡を探したりすること無く迅速に次の行動に移ることができる。また、非常時には取付けのゴム紐で体に固定して避難することができる。
【発明を実施するための最良の形態】
【０００６】（イ）１枚の長方形の基布を底面にして中央に大のポケット（１）を作成し、その左右に小のポケット（２）（３）（４）（５）を作成する。眼鏡ケース等の厚みのある物も入るのでポケットの厚みは少し余裕をもたせる。基布の巾は枕を置いた時にその下端が揃う程度とし、長さは左右を布団の下に普通に折込める長さとする。
（ロ）枕の下に当る大切な物を入れる大のポケット（１）にはファスナーを取付け左右に小のポケット（２）（３）（４）（５）を作成し、各１箇所マジックテープを取付けポケットを閉じることができるようにする。
（ハ）基布の両端に布製の輪を取付けゴム紐を通し就寝中に動かないようにする。非常時にはこの枕元ポケットをファスナーに沿って中央で内側に２つ折りにしてくるくる巻いて、取付けのゴム紐で自分の腕等に固定して避難することができる。このゴム紐が伸びてしまったときは、市販品に取替えることができる。
（ニ）暗闇でも取出し口が判別できるように取出し口の表面に、夜光塗料を施したビニールテープ付のマジックテープを取付ける。この部分は洗濯時には取り外すことができる。
本発明は以上の構成より成る。
地震等の災害に備えて考案した物であるが、日常の就寝時にも便利に使用できる。また旅行や出張の時も折りたたんで携帯することができる物である。
応用例としては基布をシーツと置き換えるとポケット付シーツとなる。
介護用ベッドのように起上がるベッドに使用するためのポケットは、ベッドを起こした時に下になる部分が袋状になるように、また、取出し口が上になるように作成する。
【実施例】
【０００７】
【産業上の利用可能性】
【０００８】
【図面の簡単な説明】
【図１】本発明を使用する状態の表側の斜視図
【図２】本発明を使用する状態の裏側の斜視図
【図３】本発明の基布をシーツに置換した斜視図
【図４】本発明の基布をシーツに置換して広げて見た図
【図１】
2005253912.tif 000003
【図２】
2005253912.tif 000004
【図３】
2005253912.tif 000005
【図４】
2005253912.tif 000006
(57)【要約】【課題】従来の洗濯用ハンガーは洗濯物をハンガーに吊るしたあと、片手でハンガーを持とうとするが、持つ場所がないのでフックの下側を持ち、物干し竿まで移動するが、かなり手が痛くなり、そのうえ物干し竿に掛けるときが、また、一苦労する。【解決手段】ハンガーのフックに把手部を設けて一体にし、咬持部をも設けた、把手部を握りながら中指等で開閉バーを引くと咬持部が開くようにした把手部を握ってハンガーを持ち上げるとバランスがとれてそのまま物干し竿まで行き中指等で開閉バーを引くと、咬持部が開き、物干し竿に、楽に、掛ける事が出来る。（咬持部が開いた後、閉じるときは咬持部近辺スプリングを使用）【選択図】      図１
2005253920.tif 000002
【特許請求の範囲】
【請求項１】
ハンガーのフック部に把手部を取り付けて（一体）、さらに咬持部から開閉バー迄のパーツを取り付けた。
【請求項２】
把手部を握りながら、ハンガーを持ち上げ、そのまま物干し竿迄行き、そこで人指し指か中指等で図面内の符号８の開閉バーを引いたりすると開閉バーと連係している咬持部が大きく開くので楽に、物干し竿にハンガーを掛ける事が出来る。
【発明の詳細な説明】
【技術分野】
【０００１】  把手部を握りながら咬持部と連係している開閉バーを指で引いたりすれば咬持部が自由自在に開閉ができて、楽に物干し竿に掛ける事ができる。
【背景技術】
【０００２】  従来のハンガーに洗濯物をピンチで挟み、物干し竿に掛けるとき把手部がないので掛けにくい。
【発明の開示】
【発明が解決しようとする課題】
【０００３】  ハンガーのフック部に把手部と咬持部をつける。
【課題を解決するための手段】
【０００４】  ハンガーのフック部と把手部を一体にして、さらに咬持部〜開閉バー迄のパーツを取り付ける。
【発明の効果】
【０００５】  把手部を握ってハンガーを持ち上げればバランスが取れて、そのままの状態で物干し竿の所まで行き、人指し指か中指等で開閉バーを引けば咬持部が開き、楽に物干し竿等に掛ける事が出来る。
【図面の簡単な説明】
【０００６】
【図１】  フックと把手部を一体の状態で、咬持部が閉じた状態の左側図面。
【図２】  フックと把手部を一体の状態で、咬持部が閉じた状態の正面図。
【図３】  フックと把手部を一体の状態で、咬持部が開いた状態の左側図面。
【図４】  洗濯物をハンガーに掛けてそれを物干し竿に掛けた全体図。
【符号の説明】
【０００７】  １      物干し竿。
２      フック。
３      吊り下げ用の台。
４      吊り下げ用のワイヤー等の通し部。
５      咬持部。
６      連結部。
７      ガイドチーズ。
８      開閉バー。
９      把手部。
【図１】
2005253920.tif 000003
【図２】
2005253920.tif 000004
【図３】
2005253920.tif 000005
【図４】
2005253920.tif 000006
(57)【要約】【課題】雨具本体の盗難防止を防ぐのと、ストーカー痴漢の予防と対策災害天気などの情報を聞ける物をそなえた雨具を作るのが目的である。【解決手段】雨具本体１のにぎり部上の巻き込み収納ワイヤー２を引き出して、カギ３にロックして、防犯ブザー４のピンを引くと音が出て防犯対策になり、ラジオ５のスイッチを入れニュース、天気など情報をその場で聞く事が出来るようになった。【選択図】図１
2005253941.tif 000002
【特許請求の範囲】
【請求項１】
雨具本体１取っ手上に巻き込み収納ワイヤー２を付けて、雨具立ての間に引き出したワイヤの先をカギ３にロックして盗難をふせぎ、防犯ブザー４のピンを引きぬくと音が出て防犯対策になり、ラジオ５のスイッチを入れると災害天気情報を聞く事が出来て、１、２、３、４、５つなぎを分けて使用出来る巻き込み収納ワイヤー防犯ブザーラジオを利用して取り外して使用出来るポリエステルナイロンビニール体雨具
【発明の詳細な説明】
【技術分野】
【０００１】本発明は雨具本体の盗難防止、ストーカー痴漢など人の身に危険が迫った時音で予防出来て、災害天気情報を聞く事が出来る雨具に関する物である。
【背景技術】
【０００２】従来の雨具本体は、雨よけ、日よけ対策のみの使われ方でしかなく、巻き込み収納ワイヤーカギ防犯ブザーラジオを利用して雨具本体から取り外して使用出来る雨具はなかった
【発明の開示】
【発明が解決しようとする課題】
【０００３】従来の雨具本体は天気が晴れると雨具立てに置きぱなしになり、雨が降ると間違って物ち帰ってしまって無くなり誰れの雨具か区別が無く置き忘れの雨具はふえた。
【課題を解決するための手段】
【０００４】雨具本体１取っ手部上に巻き込み収納ワイヤーを引き出して雨具立てのすき間を通してカギ３でロックして安全に保カン出来て、防犯ブザー４のピンを引きぬき音で安全対策を確保しラジオ５で天気災害を聞けいつでも取り外して使用出来ることが最上であることを発見した。
【発明の効果】
【０００５】本発明は、今までのように他の人の雨具本体と間違って物ち帰ることが無くなって、雨が降っても晴れても雨具本体から、防犯ブザーとラジオを取り外して常に安全と情報を耳で聞けて役立った。
【発明を実施するための最良の形態】
【０００６】以下、本発明の実施の形態について説明する。
雨具本体１に巻き込み収納ワイヤー２を引き出して、雨具立てのすき間を通しカギ３にロックすると安全に保カン出来て防犯ブザー４のピンを引きぬくと音が出て防犯対策になる、ラジオ５のスイッチを入れると災害天気情報を聞けて、１２３つなぎと、４つなぎと、５つなぎを分けて状況に応じて使い分けが出来て良い。
【図面の簡単な説明】
【０００７】
【図１】本発明の断面図
【図２】本発明の取り外し図
【符号の説明】
【０００８】１  雨具本体
２  巻き込み収納ワイヤー
３  カギ
４  防犯ブザー
５  ラジオ
【図１】
2005253941.tif 000003
【図２】
2005253941.tif 000004
(57)【要約】      （修正有）【課題】カッターナイフを安全に使いやすいようにする。【解決手段】カッターナイフの替刃を刃先に対して鈍角に折るようにし、刃先を鈍角にする。その替刃の刃当たりを鈍角にする。替刃を刃先に対して鈍角に折ることによって、先端部分が切れないので、安全性が増す。視覚的にも危険感が軽減される。先端部分が切れないので、カット面に対する深さを調節することができる。また、添い切りする時、接触面が長くなり、刃先がブレにくくなり、美しく直線をきることができる。【選択図】図２
2005253937.tif 000002
【特許請求の範囲】
【請求項１】
替刃の刃先に対して折れ線を鈍角にした替刃とそのサヤ又は持手。
【発明の詳細な説明】
【技術分野】
【０００１】本発明は替刃の折り方を変えて刃先を鈍角にして切れ味を維持しながら危険性を軽減したカッターナイフに関するものである。
【背景技術】
【０００２】従来カッターナイフは替刃の先端部が鋭利で危険であった。その上刃先が鋭利であるがため弱くブレるため、切断が思うようにならないことがあった。
【発明の開示】
【発明の効果】
【０００３】替刃の刃先を鈍角に折ることによって先端部分が切れないので安全性を増すことができる。従来品は図１のように先端部分が鋭利で、視覚的にも大変危険である。それを図２のように折ることによって先端部分が切れないから突き刺す危険性が少なくなる。又視覚的にも危険性を軽減される。先端部分が切れないことを利用してカット面に対し角度を変えカットするとき深さを調節することができる。それゆえ浅く切ることができ内部を傷つけにくい。刃先が鈍角であるため図３のように添い切りするとき接触面が長くなり刃先がブレにくくなり美しく直線を切ることができる。
【発明を実施するための最良の形態】
【０００４】本発明は定規でものを添え切りするときとか、モノを削るときに刃先が鋭利でないので安全に切ることができる。
【図面の簡単な説明】
【０００５】
【図１】従来のカッターナイフの替刃とサヤ又は持ち手。
【図２】発明したカッターナイフの替刃とサヤ又は持ち手。
【図３】定規で添え切りしたときの定規と刃先の様子。
【図４】発明した替刃と断面図。
【符号の説明】
【０００６】１  従来のカッターナイフの替刃
２  従来のカッターナイフのサヤ又は持ち手
３  発明したカッターナイフの替刃
４  発明したカッターナイフのサヤ又は持ち手
５  定規
６  紙などの切断材料
【図１】
2005253937.tif 000003
【図２】
2005253937.tif 000004
【図３】
2005253937.tif 000005
【図４】
2005253937.tif 000006
(57)【要約】      （修正有）【課題】一枚一枚取り出し、鍋などのサイズに合わせて使うことができ、かさばらず便利で、使い勝手の良い紙の落としぶたを提供する。【解決手段】紙の落としぶたにミシン目を入れたことで様々なサイズの鍋に合わせて使用することができる。一枚一枚使いきりで、衛生的でもあり便利に使える。【選択図】図１
2005253939.tif 000002
【特許請求の範囲】
【請求項１】
料理の時に鍋などの各サイズに合わせられるように紙に円周状のミシン目及び、縦横十字にもミシン目を入れ中心部に穴を開けた紙の落としぶた。
【発明の詳細な説明】
【発明の詳細な説明】
この発明は料理の時に使う、紙にミシン目を入れることにより各サイズの鍋などに合わせて大きさを調整できる紙の落としぶたである。従来落としぶたは木などで作られており、使用する鍋のサイズごとに複数所有している必要があった。
本発明はその欠点を除く為になされたもので、それを図面について説明すれば図面１円形の紙の落としぶた（１）に各サイズの鍋などに合わせられるように、直径の異なる同心円のミシン目（２）が入っている。縦横十字にもミシン目（３）を入れたことによりサイズを合わせる際に四つ折にして不用部分をミシン目から切り取れば簡易に調整が可能である。中心部には穴が開いており（４）、加熱調理で沸騰して発生した水蒸気を効率良く排出できるので紙の落としぶたの浮き上がりを防ぐ。図面２紙製の箱に入れることにより使用する時に一枚ずつ取り出すことができ衛生的でもある。
本発明はこのような構造であるから、一枚ずつ取り出し鍋などのサイズに合わせてたやすく使用することが可能で便利である。
【図面の簡単な説明】
【図１】  本製品の正面図である。
【図２】  本製品の斜面図である。
【符号の説明】
１は紙の落としぶた、２はサイズに合わせて切り取れるミシン目、３は縦横十字にミシン目が入っている、４は中心部に穴があいている、５は紙の落としぶたを一枚ずつ取りやすくするために紙の箱に入っている。
【図１】
2005253939.tif 000003
【図２】
2005253939.tif 000004
(57)【要約】【課題】浴室、浴室ユニットの内部床面の洗い場に天石を設け、暖め利用した岩盤浴を提供する。【解決手段】浴室、浴室ユニット内部の洗い場床面の一部又は全面に天石を設け、段差を付け、又浴槽と対面する壁面内側の下側に天石を設け、各表面を研摩し、天石の下部に別の熱源、電気ヒーター、石油、ガス等で暖めた天石の上に寝転がり、又は座ることにより岩盤浴と浴室内の暖房が可能なことを特徴とする岩盤浴付き浴室ユニット。【選択図】  図１
2005253933.tif 000002
【特許請求の範囲】
【請求項１】
浴室、浴室ユニット洗い場の床面上の一部又は全面、又浴槽と対面する壁面の内部下側に板状に加工した天石を敷設し、各熱源を設けて暖めたことを特徴とする岩盤浴のできる浴室、浴室ユニット。
【請求項２】
浴室、浴室ユニット洗い場の床面上の一部又は全面、又浴槽と対面する壁面の内側下側に天石を板状に加工し敷設し、さらにその上面を研摩した事を特徴とする請求項１記載の岩盤浴のできる浴室、浴室ユニット。
【請求項３】
浴室、浴室ユニット洗い場の床面上の一部又は全面、又浴槽と対面する壁面内部の下側に敷設した天石に各種の熱源を設け、３５〜４５度の範囲に調節設定した請求項１又は２記載の岩盤浴のできる浴室、浴室ユニット。
【請求項４】
浴室の床面上の一部又は全面、又浴槽と対面する壁面内側の下側に敷設した天石の下部に熱源を設けたことにより、その熱源を床暖房又は浴室内の暖房としても利用できる請求項１〜３記載の岩盤浴のできる浴室、浴室ユニット。
【請求項５】
浴室、浴室ユニット内で寝転んでも、座っても岩盤浴が可能な請求項１〜４記載の岩盤浴のできる浴室、浴室ユニット。
【発明の詳細な説明】
【技術分野】
【０００１】  本発明は、一般の住宅等に設置される浴室内の洗い場、床面の一部又は全面及び浴槽と対面する壁面の下側に天石を設け、各種熱源で暖め、浴室内の暖房、又は天石を利用した、身体に良い岩盤浴のできる浴室に関するものである。
【背景技術】
【０００２】  従来、浴室内にサウナ付きの浴室又は浴室ユニットはあった。
【発明の開示】
【発明が解決しようとする課題】
【０００３】  そのために、次のような問題点があった。
（イ）サウナは乾燥した１００度前後の室温で、急激な血圧の上昇や心拍数の増加のた        め、高齢者や循環器系疾患を持っている人には危険であった。
（ロ）サウナ入浴後の冷水浴も高齢者、特に動脈硬化や高血圧を抱えている４０代以上        の人には危険があった。
（ハ）高温のため燃料費が高く、又高価で一般の住宅では普及しなかった。
（ニ）サウナは乾燥した１００度前後の室温のため、全ての人が入れない。
本発明は、これらの問題点を解決するためになされたものである。
【問題を解決するための手段】
【０００４】    浴室又は浴室ユニット内部の洗い場床面の一部又は全面及び浴槽と対面する壁面下側部分に天石を設け、その表面を研摩し、天石の下部又は壁面の天石外側に浴槽の湯とは別に電気ヒーター又は石油、ガス等の蒸気の熱源を設けて、３５〜４５度に調節設定する。
以上を特徴とする岩盤浴付き浴室ユニットである。
【発明の効果】
【０００５】  岩盤浴はサウナのように一般家庭内ではまだ知られておらず、天石の特異な性質を最大限生かすことで、初めて実現する岩盤浴で、免疫力・細胞の活性化を向上させる二酸化ケイ素の比率が最も高く、様々な体内機能低下や疾患に対する治療効果が期待できる、この効果はこの天石を加熱して、その上に寝そべる事で生まれます。そして、天石は驚異の発汗力で体内清掃作用、中赤外線がホルモンバランスを正常化、からだの芯から暖めて冷え性改善効果、お肌すべすべの若返り効果、いやな体臭を消し去る消臭効果等が期待できる。又、天石を加熱するだけであり、床面が暖かく浴室の暖房としても、又サウナ等より燃料費も少なく経済的な効果が期待できる。
【発明を実施するための最良の形態】
【０００６】  以下、本発明の実施の形態に付いて説明する。
（イ）浴槽（１）の防水床の洗い場（２）の床面の一部又は全面（９）、及び浴槽と対        面する壁面下側に天石（１０）を設ける。
（ロ）洗い場（２）の床面に設けた天石（９）の下部又は浴槽と対面する壁面外側の下        側の天石（１０）に電気ヒーター又は石油、ガス等で生成される熱源、蒸気をも        って天石を３５〜４５度に暖める。
【実施例１】
【０００７】  以下、添付図面に従って本発明の実施例を説明する。図１、図２及び図３において、１は浴槽、２は防水床の洗い場、３はその外周部で、４はその壁面であり、外周部３に載置きされ、かつ嵌合されている。５は天井で、壁面４の上端部６に載置、かつ固定されている。７はカウンター、８は室内灯、９は防水床の洗い場の上部に設けられた天石で構成された岩盤浴、１０は壁面の下側に設けられた天石で構成された岩盤浴、１１は熱源コードからなる、又天石を各種熱源を使用して暖めることも可能であり。その上に寝転がり、又は座ることにより、人の身体を暖め汗をかき、又浴室内の暖房としても使用出来る。
【図面の簡単な説明】
【０００８】
【図１】  本発明の岩盤浴付き浴室ユニットの斜視図である。
【図２】  本発明の断面図である。
【図３】  本発明の平面図である。
【符号の説明】
【０００９】    １  浴槽
２  防水床の洗い場
３  外周部
４  壁面
５  天井
６  壁面の上端部
７  カウンター
８  電灯
９  天石
１０  壁面の天石
１１  熱源コード（ヒーター、石油、ガス等）
【図１】
2005253933.tif 000003
【図２】
2005253933.tif 000004
【図３】
2005253933.tif 000005
(57)【要約】【課題】  現在のペットブームにより，様々な動物が各家庭で飼われているが，室内で飼われている動物の毛が抜けて布団や毛布に付くとなかなか掃除がしにくい．【課題を解決するための手段】  本発明は，三日月形の弧部（１）に粘着テープ（２）を這わせて毛やゴミをくっつけるものであり，座布団や布団など柔らかく，安定しない形状のものに対しても三日月形の弧部が手動で密着する．【選択図】    図１
2005253931.tif 000002
【特許請求の範囲】
【請求項１】
三日月形にした本体の弧部（１）に粘着テープ（２）を沿わせ，上部（３）でその粘着テープ（２）が外れないよう止めるようにした粘着テープによる清掃道具
【請求項２】
本体に，巻いた粘着テープ（４）を設置して引き出しながら弧部に沿わせるようにした請求項１
【発明の詳細な説明】
【技術分野】
【０００１】  本発明は，三日月形の本体の弧部（１）に粘着テープ（２）を沿わせて装着した清掃道具である．
【背景技術】
【０００２】  現在家庭室内用の清掃道具としては電気掃除機や粘着テープ式回転ロール型清掃道具などがある．
【発明の開示】
【発明が解決しようとする課題】
【０００３】  現在のペットブームにより，様々な動物が各家庭で飼われているが，室内で飼われている動物の毛が抜けて布団や毛布に付くとなかなか掃除がしにくい．
【課題を解決するための手段】
【０００４】  本発明は，三日月形の弧部（１）に粘着テープ（２）を這わせて毛やゴミをくっつけるものであり，座布団や布団など柔らかく，安定しない形状のものに対しても三日月形の弧部が手動で密着する．
【発明の効果】
【０００５】  本発明の粘着テープによる清掃道具は，動力も使わず，手で動きを調整できるため，従来の粘着テープ式回転ロール型清掃道具のように軸が固定されていないために，ゴミの取り残しがない．
また，弧形であることで物体との接触面が少ないため，粘着テープの粘着力が強すぎて意図せず粘着テープが破れるということもない．
【発明を実施するための最良の形態】
【０００６】  まず粘着テープを固定位置（４）にセットし，その先端を三日月形の本体の弧部（１）に粘着面が外側に向くように這わせ，上部（３）にて先端をテープの粘着力又はばね等で押さえつけて固定する．
次に，持ち手（５）を片手で持ち，取り除きたいゴミや動物の毛に対して粘着面を合わせる取っ手を揺らすことで，接着面積を広げ，また角度を変えることで座布団などの安定しない形状のものに対しても利用する．
【実施例】
【０００７】  図１は本発明装置を使用している図である．
【図面の簡単な説明】
【０００８】
【図１】    本発明の実施方法
【図２】    本発明装置の正面図
【符号の説明】
【０００９】１は三日月形本体弧部
２は粘着テープ
３は粘着テープ固定位置
４は粘着テープトレイ
５は持ち手
【図１】
2005253931.tif 000003
【図２】
2005253931.tif 000004
(57)【要約】【課題】  短時間で同時に両手と爪の汚れを除去出来るブラシを提供する。【解決手段】  球形の台（２）の表面全体に無数の植毛用穴（３）を設け、その植毛用穴（３）にブラシの毛（１）を埋め込んだ、手と爪の汚れを除去する事を特徴とする球形ブラシ。【選択図】    図１
2005253935.tif 000002
【特許請求の範囲】
【請求項１】
球形の台（２）の表面全体に無数の植毛用穴（３）を設け、その植毛用穴（３）にブラシの毛（１）を埋め込んだ、手と爪の汚れを除去する事を特徴とする球形ブラシ。
【発明の詳細な説明】
【技術分野】
【０００１】  本発明は球形の台の表面全体に無数の植毛用穴を設け、その植毛用穴にブラシの毛を埋め込んだ、手と爪の汚れを除去するブラシに関するものである。
【背景技術】
【０００２】  従来は、握り柄を有する長尺上の平面軸の片面あるいは両面に無数のブラシ毛を植毛したブラシがあった。
【発明の開示】
【発明が解決しようとする課題】
【０００３】そのために、次のような問題点があった。
（イ）手の平を上手に洗えない。
（ロ）片手づつしか洗えない。
（ハ）疲れる。
（ニ）時間が掛かる。
【課題を解決するための手段】
【０００４】  球形の台（２）の表面全体に無数の植毛用穴（３）を設け、その植毛用穴（３）にブラシの毛（１）を埋め込んだ、手と爪の汚れを除去する事を特徴とする球形ブラシ。
【発明の効果】
【０００５】  ブラシそのものを球型にする事により、ブラシを持つ手（洗う手）洗われる手ではなく両手共洗われる手になる。
本発明を両手で洗う様に擦るので、あまり力が必要で無くその力も左右の手に平均して掛るので疲れない。
簡単に短時間であまり力を必要とせず手の平、爪の間、甘皮を綺麗にする事が出来る。
【発明を実施するための最良の形態】
【０００６】以下、本発明の実施の形態について説明する。
（イ）球形の台（２）の表面全体に無数の植毛用穴（３）を設ける。
（ロ）その植毛用穴（３）にブラシの毛（１）を埋める。
（ハ）ブラシ台の一部に、本発明を吊るす紐（４）を付ける。
【図面の簡単な説明】
【０００８】
【図１】      本発明の外形図
【図２】      本発明を半分に切り欠いた側面図
【符号の説明】
【０００９】１      ブラシの毛
２      ブラシの台
３      植毛用穴
４      吊るし紐
【図１】
2005253935.tif 000003
【図２】
2005253935.tif 000004
(57)【要約】      （修正有）【課題】多くのロール紙を整理整頓出来て、使用時、簡単に使用出来るボックス（函）を提供することにある。【解決手段】ボックス（函）の内部にＳ形形成板、通路を設け、上部に入口穿設と、下部にドアボックスを設け、受け止め板、押し付け板、遮断板を設けて、取り出しも簡単に出来るロール紙一括収納ボックスを提供する。【選択図】図１
2005253938.tif 000002
【特許請求の範囲】
【請求項１】
ロール紙一括収納ボックスの内部Ｓ形形成板で通路を設け、Ｓ形上部に入口穿設、下部出口にドアボックスを設けたことを特徴とするロール紙一括収納ボックス。
【請求項２】
ロール紙一括収納ボックスの下部出口部にドア共有ボックスを設けられ、受け止め板、押し付け板、遮断板を設け、請求項１と共有することを特徴とするロール紙一括収納ボックス。
【発明の詳細な説明】
【技術分野】
【０００１】本発明はロール紙ボックスに関する。
【背景技術】
【０００２】従来、ペーパーロール収納等の特許、実用新案の出願は多数あり利点もある。
【発明の開示】
【発明が解決しようとする課題】
【０００３】しかしながら、ロール紙は一袋の数が多いため、整理整頓に問題点が多く、大変で不利がある。
【課題を解決するための手段】
【０００４】本発明はロール紙一括収納ボックスの内部にＳ形形成板、通路を設け、上部にロール紙挿入穿設を設け、挿入、下部に流れ落ち、下部終着板、ドア上部から下部に引き下げ、ドア部に四面部に流れ落ち、受け止め板（ドア兼務）を下げる時、前方押し付け板、次のロール紙を次々と止める、遮断板、遮断板に重量を設けることで、ドアボックスとなり、ドアに抵抗がかからず、簡単に開閉出来ることで課題を解決し提供する。
【発明の効果】
【０００５】本発明は多くのロール紙を整理整頓が出来て、使用時の取り扱いが簡単である。
【発明を実施するための最良の形態、実施例】
【０００６】本発明のロール紙一括収納ボックスは六面の函形成からなり、ボックス（函）上部にロール紙挿入入口を設け、入口連結Ｓ形形成板、通路を設け、下部ドアボックスと連結、ドアボックスは流れ落ちるロール紙を受け止め板、ドアを開く、上から下に下げた時、ロール紙を前方に押し出し、押し付け板、ペーパーロールがドアボックスから出す時、次に流れ落ちるロール紙の混乱防止のため、遮断板を設け次に流れるロール紙を一時停止させる。遮断板は一定の重量を設けることで、ドアボックスの開閉もスムーズとなる。又、ドアボックスは蝶番で取付けられる。ドアボックの上部の開閉時に、余裕に開閉が出来る穿設を設け、ロール紙一括収納ボックスにロール紙ホルダーを設けた形態。
【図面の簡単な説明】
【０００７】
【図１】    本発明に係るロール紙一括収納ボックスの概観図である。
【図２】    本発明に係るロール紙一括収納ボックスの内部と一部断面図の概観図である。
【図３】    本発明のドアボックスの側面図、一部断面図の概観図である。
【符号の説明】
１    ロール紙一括収納ボックス
２    ロール紙挿入穿設
３    ドアボックス（上から下に下げる）ロール紙の取外口
４    ロール紙取付ホルダー
５    蝶番
６    通路仕切板
７    通路（ロール紙流通路）
８    ロール紙
９    押し付け板
１０  遮断板
１１  指挿入穿設
【図１】
2005253938.tif 000003
【図２】
2005253938.tif 000004
【図３】
2005253938.tif 000005
(57)【要約】【目的】寝ている状態で、足全体を暖める電気アンカ【構成】電気アンカを三角形にすることで、足全体を暖める【選択図】図１
2005253940.tif 000002
【特許請求の範囲】
【請求項１】
電気アンカを三角形にし、寝て使用する時、足全体を暖める暖房器具
【発明の詳細な説明】
【発明の詳細な説明】
この考案は、足のつま先まで暖める電気アンカです。寝ている状態で使用すると、足の裏全体が暖まります。足が冷たいと眠りにつけません。特に女性、お年寄りには辛いものとなります。
足の甲が冷たい時にも、この角度の物ですと、上にのせても暖められると思います。従来の平型だと足で挟んだり、立てたりしてもなかなか暖まりませんし、足が冷たいとトイレに何回も起きて睡眠不足となります。これを使用すると、布団と足の両方暖められるので、便利です。
【図面の簡単な説明】
【図１】本発明三角形の電気アンカの斜視図
【図２】本発明を使用している時の図
【符号の説明】
１  アンカ  ２  足
【図１】
2005253940.tif 000003
【図２】
2005253940.tif 000004
(57)【要約】      （修正有）【課題】今まで材料として使用出来なかったグラニュー糖等も使用出来る回転体に網目を使用しない綿菓子製造装置の提供。【解決手段】綿菓子製造装置より網目のない回転体を使用し、回転体下部より均一に送風する。その際送機（ファン）は、回転体と一体化したのが望ましい。【選択図】図１
2005253437.tif 000002
【特許請求の範囲】
【請求項１】
網目を使用しない製造方式。
【請求項２】
ファンを使用して製造する方式。
【発明の詳細な説明】
【技術分野】
【０００１】  本発明は、綿菓子を製造するための製造方式に関するものである。
【背景技術】
【０００２】  従来の綿菓子製造装置は、菓子を製造する回転体に網を設けて、回転体の回転する遠心力によって網目から噴出させて製造する方式であった。【０００３】  食材にザラメしか使用出来なかった。
【発明の開示】
【発明が解決しようとする課題】
【０００４】  格子状の網の目に品質が左右され、綿菓子のきめが粗くて舌触りが悪く食感が均一でない。【０００５】  食材にザラメしか使用出来ない。【０００６】  製品の保存期間が短い。
【課題を解決するための手段】
【０００７】  網目を使用しない製造方式。【０００８】  送風装置（ファン）を使用して製造する方式。
【発明の効果】
【０００９】  綿菓子を製造する回転体に網目を使用しないで、回転体を加熱し一定のインターバル時間後材料を投入する。その際今まで材料として使用出来なかったグラニュー糖等も網目がないため使用出来る。【００１０】  加熱された材料は、遠心力によって回転体の内部壁面を伝わって外部に噴出する。過熱され噴出した食材は、回転体下部からの送風により、食材と空気が混合した綿菓子製品となる。この送風による食材と空気の混合により豊かな食感を生み出す。【００１１】  綿菓子が大量の空気を含有する為食材同士の癒着が極めて少なく、綿菓子製品としての存続期間を３倍から６倍持続長持ちさせる。
【発明を実施するための最良の形態】
【００１２】  綿菓子製造装置より網目のない回転体を使用し、回転体下部より均一に送風する。その際送機（ファン）は、回転体と一体化したのが望ましい。【００１３】  一定の過熱後グラニュー糖等の食材を投入する。
【産業上の利用可能性】
【００１４】  綿菓子製品としての存続期間が長いため流通等の可能性の拡大、及びグラニュー糖を食材として使用出来る利点を有する為新しい食感としてマーレテング開発を可能にした。
【図面の簡単な説明】  綿菓子製造装置の回転体を示した図面である。【図１】回転体を示した平面図である。
【図２】回転体を示した側面図である。
2005253437.tif 000003
2005253437.tif 000004
【手続補正書】
【提出日】平成16年5月17日(2004.5.17)
【手続補正３】
【補正対象書類名】図面
【補正対象項目名】全図
【補正方法】変更
【補正の内容】
【書類名】図面    【図１】2005253437.tif 000005
【図２】2005253437.tif 000006
(57)【要約】【課題】  円形状の乾燥板海苔を成型して、器状の海苔カップを提供する。【解決手段】乾燥板海苔を円形状に型抜きし、これに微量の水分を加え、高温に過熱した凸凹型で成型して器状の海苔容器にすることを特徴とするカップ海苔の製造方法である。【特許請求の範囲】
乾燥板海苔を円形状に型抜きし、これに微量の水分を加え、高温に過熱した凸凹型で圧縮成型し、海苔を容器状にすることを特徴とするカップ海苔の製造方法である。
【発明の詳細な説明】
【技術の分野】
【０００１】本発明は、板状の海苔を容器状に成型して弁当のおかず入れやご飯とおかずを入れて海苔寿司などで食べる、カップ海苔の製造方法に関するものである。
【背景技術】
【０００２】従来、板海苔の食べ方は、そのまま食べたり、食べ物を海苔で巻いて食べるなどに利用されている。
【発明の開示】
【発明が解決しようとする課題】
【０００３】そのために、次のような問題点があった。
（イ）海苔の手巻き寿司で食べるとき、小さい子供や手が不自由な人は自分で手巻き寿司等に作りにくく食べにくかった。
（ロ）弁当のおかず入れやおかずの仕切りには適さなかった。
本発明は、これらの問題点を解決するためになされたものである。
【課題を解決するための手段】
【０００４】乾燥板海苔を円形状に型抜きし、これに微量の水分を加え、高温に熱した凸凹型で圧縮成型し、海苔を容器状にすることを特徴とするカップ海苔の製造方法である。
【発明の効果】
【０００５】小さい子供でも簡単に手巻き寿司が作れて食べやすく、さらに海苔おにぎりが簡単に作れる。又弁当のおかず入れに使うと、アルミカップのようなゴミにならないので環境にもやさしいカップ海苔である。
【発明を実施するための最良の形態】
【０００６】以下、本発明の実施の形態について説明する
第１工程  乾燥した板海苔を直径１０ｃｍの円形に型抜きする。
第２工程  上記の型抜きした海苔に約２％の湿度を与える。
第３工程  第２工程の海苔を、２８０度の高温に熱した凸凹成形型で１０秒間圧縮成型する。
本発明は以上のような製造方法で、これを使用するときは、ハス形状にしたカップ海苔にご飯を入れ、いろいろな食べ物を入れ手巻き寿司風にして食べたりご飯を入れギョウザ風の海苔おにぎりを作る。又アルミカップの替わりに弁当のおかず入れカップとして使う。
【実施例】
【０００７】このカップ海苔は、一口サイズの大きさのため手巻き寿司風にしても、ギョウザの形にした、おにぎり弁当にしても食べやすく又弁当のおかず入れに使うと、ゴミにもならず環境にもやさしく健康にもよい。
(57)【要約】【課題】キスをしながら飴を舐め合った場合に、飴が口の中をあちらこちらに移動したり飲み込みそうになったりして、落ち着いて飴を舐めあうことができなかったために、飴が口の中をあちらこちらに転がらないようにある程度一定の位置に固定しておける飴を提供する。【解決手段】飴１にゴ厶２がついていることにより、このゴ厶２を頭部などで固定することにより飴１をキスしながら舐めた場合にも、飴があちらこちらに移動したり飲み込みそうになる心配をせずにすむ。【選択図】    図１
2005253455.tif 000002
【特許請求の範囲】
【請求項１】
本発明は、主に口（くち）と口（くち）でＫｉｓｓしながら舐め合うための飴「個人で舐める場合も含む」で、飴が口の中をあちらこちらに移動しないようにある程度一定の位置に飴を固定し、また不意に飲み込むなどを防ぐために、ゴ厶「紐状のゴ厶や輪ゴ厶」又は紐に飴が付いている。ゴム「紐状のゴ厶や輪ゴ厶」又は紐についている飴を口に含み、飴に付いたゴムや紐などを後頭部で結んだり、頭部にはめたり、マスクのように耳にかけたりして体の一部を使い、飴を飲み込まないように又飴が口の中をあちらこちらに転がらないように、ある程度飴を一定の位置に固定できることでＫｉｓｓをしながら飴を舐め合った場合などでも、不意に飴を飲み込んだり、飴があちらこちらに移動することを防ぐことを目的とした飴。
【請求項２】
飴を紐状のゴムや輪ゴム又は紐に付着させるために、土台となるものに紐状のゴムや紐などをつけ、その土台を飴で包んだもの、また土台がなく紐状のゴムや輪ゴム、又は紐に直接飴を付着させた飴。
【請求項３】
飴が口の中をあちらこちらに移動しないようにある程度一定の位置に固定しておける飴で、飴の代わりにチョコレートを使用したもの。
【請求項４】
飴が口の中をあちらこちらに移動しないようにある程度一定の位置に固定しておける飴で、飴の代わりにラムネ菓子を使用したもの。
【請求項５】
飴が口の中をあちらこちらに移動しないようにある程度一定の位置に固定しておける飴で、飴の代わりにキャンディーを使用したもの。
【請求項６】
飴が口の中をあちらこちらに移動しないようにある程度一定の位置に固定しておける飴で、飴の代わりにキャラメルを使用したもの。
【発明の詳細な説明】
【技術分野】
【０００１】本発明は、キスしながら飴（アメ玉）を舐め合った場合に、飴が口の中をあちらこちらに移動しないように、飴に輪ゴムや紐をつけて頭部や耳などで固定することでキスしながら飴を舐め合うことができるようにした飴。
【背景技術】
【０００２】従来、体の一部で飴が口の中をあちらこちらに移動しないように、ある程度一定の位置に固定できる飴などなかった。
【発明の開示】
【発明が解決しようとする課題】
【０００３】恋人同士などが、口で氷や飴玉を交換して遊び感覚で愛を深める行為は以前からされていたが、飴があちらこちらに転がったり飲み込みそうになったりして落ち着いてすることができなかった。
【課題を解決するための手段】
【０００４】ゴムまたは紐２に飴１をつけることにより、飴１を口に含みゴム２を頭部にはめるなどして、飴１が口の中をあちらこちらに移動したり、飲み込みそうになることを防ぐことができる。
【発明の効果】
【０００５】飴を、口の中のある程度一定の位置に固定しておくことができる。
【発明を実施するための最良の形態】
【０００６】以下、本発明の実施の形態について説明する。ゴム２に土台３を付け、土台３を飴１で包む。「ゴム２の輪ゴムに限らず紐状のゴムや紐でつながって輪になってないもので好きなサイズにくくれるものや、土台３を付けずに直接ゴム２に飴１を付けたものも含む」
【実施例１】
【０００７】図１は、本発明の飴が口の中をあちらこちらに転がらないように、ある程度一定の位置に固定しておける飴で、飴１を口に含みゴム２で頭部などで飴１を口の中のある程度一定の位置に固定する。
【図面の簡単な説明】
【０００８】
【図１】正面図
【図２】断面図
【符号の説明】
【０００９】  １    飴（アメ）
２    ゴム
３    土台
【図１】
2005253455.tif 000003
【図２】
2005253455.tif 000004
(57)【要約】【課題】  本発明は、中空状逆円錐形の下方を円筒尖形に形成し、その円筒尖形の周壁に所要数で任意となる孔を設け、土中に押入し種蒔や施水が容易にでき、持ち運びにも嵩張らず重置ができる土壌押入種蒔施肥施水具を得る。【解決手段】  上端に周縁が付く中空状逆円錐体の下部を円筒尖形に形成し、その円筒尖形の周壁に所要数で任意となる孔を設け、重置自在となる手段を講ずる。【選択図】  図１
2005253450.tif 000002
【特許請求の範囲】
【請求項１】
上端に周縁が付く中空状逆円錐体の下部を円筒尖形に形成し、その円筒尖形の周壁に所要数で任意となる孔を設け、重置自在となることを特徴とする土壌押入種蒔施肥施水具。
【請求項２】
前記中空状逆円錐体の下方を尖形に形成し、その尖形の周壁に所要数で任意となる孔を設けた請求項１記載の土壌押入種蒔施肥施水具。
【発明の詳細な説明】
【技術分野】
【０００１】    本発明は、園芸に用いる土壌押入種蒔施肥施水具に関する。
【背景技術】
【０００２】
【特許文献１】        特願２０００−３３２０３６  特開２００２−１３０５５１
【発明の開示】
【発明が解決しようとする課題】
【０００３】    従来の園芸施水具は、パイプ状の形状のものとなり、施水に便利なものであるが、土中に押入し種蒔をしようとしても、土中には穴が開かず環状跡が残るだけであり、種蒔などは別作業として土を掘って植える状態で、円筒形状のものが多く持ち運びに嵩張る問題があった。【０００４】    本発明は、中空状逆円錐形の下方を円筒尖形に形成し、その円筒尖形の周壁に所要数で任意となる孔を設け、土中に押入し種蒔や施水が容易にでき、持ち運びにも嵩張らず重置ができる土壌押入種蒔施肥施水具の提供を目的とするものである。
【課題を解決するための手段】
【０００５】    前記の課題を達成するため、上端に周縁が付く中空状逆円錐体の下部を円筒尖形に形成し、その円筒尖形の周壁に所要数で任意となる孔を設け、重置自在となる手段を講ずる。【０００６】    さらに、中空状逆円錐体の下方を尖形に形成し、その尖形の周壁に所要数で任意となる孔を設けることが好ましい。
【発明の効果】
【０００７】
【０００８】    本発明の、土壌押入種蒔施肥施水具により、中空状逆円錐体の下方を円筒尖形に形成し、その円筒尖形の周壁に所要数で任意となる孔を設け、土中に押入し種蒔や施肥施水が容易にでき、重置ができ嵩張らず持ち運びや収納に有用なものである。
【発明を実施するための最良の形態】
【０００９】    発明の実施するための最良の形態を実施例にもとづき図面を参照して説明する。図１〜図３で示す実施例では、上端に周縁１が付く中空状逆円錐体２の下部を円筒尖形３に形成し、その円筒尖形３の周壁４に所要数で任意となる孔５を設け、重置自在となるようにしている。【００１０】    また、図４で示す実施例では、中空状逆円錐体２の下方を尖形６にした一体成形となり、その尖形６の周壁４に所要数で任意となる孔５を設けている。【００１１】    前記のような構成により、本発明の土壌押入種蒔施水具を園芸での盛り土又は、プランター、植木鉢などにおいては、その土の上に置いて土中押入し、器具内から施肥施水が出来るとともに、器具の押入より土に穴ができ、その穴に種蒔ができるようになり、特にマルチングを施したものでも有用であり、持ち運びや収納時には重置でき嵩張らなく便利なものである。
【図面の簡単な説明】
【００１２】
【図１】  本発明の実施例を示す斜視図である。
【図２】  本発明の実施例を示す正面図である。
【図３】  本発明の土壌押入種蒔施肥施水具を重置した状態を示す正面からの透視図である。
【図４】  本発明の請求項２の実施例を示す正面図である。
【符号の説明】
【００１３】      １  周縁
２  中空状逆円錐体
３  円筒尖形
４  周壁
５  任意となる孔
６  尖形
【図１】
2005253450.tif 000003
【図２】
2005253450.tif 000004
【図３】
2005253450.tif 000005
【図４】
2005253450.tif 000006
(57)【要約】      （修正有）【課題】海洋深層水を用いてハーブ風味をもつカバノアナタケ深層飲料及び製造方法を提供する。【解決手段】海洋深層水にカバノアナタケ粉末菌糸体を配合し６０℃〜９０℃に加熱し、保存して、均質化カバノアナタケ深層濃縮液が完成し容器（ペットボトル・瓶・金属缶）に海洋深層水を６０％〜８０％に充填したものに対して、均質化カバノアナタケ深層濃縮液を２０％〜４０％の割合に配合して検査（容器破損、異物混入有無）合格品にラベリングして製品完成する。【選択図】図１
2005253445.tif 000002
【特許請求の範囲】
【請求項１】
海洋深層水硬度１００〜１０００（カルシウム、Ｍｇ濃度割合）を用いて均質化カバノアナタケ深層濃縮液と配合することを特徴とするカバノアナタケ深層飲料の製造方法
【請求項２】
海洋深層水硬度により均質化カバノアナタケ深層濃縮液を配合、硬度数値１０００の場合、均質化カバノアナタケ深層濃縮液の配合の分量が多くなり、硬度数値１００の場合は配合分量が少なくなる、配合分量と硬度数値の渡合により色素の変化を特徴とするカバノアナタケ深層飲料の製造方法、
【請求項３】
カバノアナタケ深層飲料の色素割合はカバノアナタケ深層飲料の成分ニグニン、フラボノイド、メラニンの分量によっても変化する事を特徴とするカバノアナタケ深層飲料の製造方法、
【発明の詳細な説明】
【発明の詳細な説明】
【発明に属する技術分野】
【０００１】  本発明は海洋深層水の利用によってカバノアナタケ（キノコ菌糸体）粉末をカバノアナタケ深層濃縮液に変えて、海洋深層水との配合によって、カバノアナタケ深層飲料が出来る技術、特に色素中心に開発した。
【背景技術】
【０００２】  海洋深層水とカバノアナタケ深層濃縮液の配分した製品は市場に出ていない
参考文献
「チャガ」でガンを治すのか（第３章）史輝出版、
ガンを消す、幻の茸チャーガ（カバノアナタケ）青萠堂
【発明が解決するための手段】
【０００３】  海洋深層水とカバノアナタケ粉末との配合でカバノアナタケ深層濃縮液がすむーずに出来、次に海洋深層水との配合もすみやかに、味もまろやかで、香りはハーブの一種のカバノアナタケ深層飲料製品が出来ました。
【発明を実施するための最良の形態】
【０００４】  海洋深層水は海底のミネラル分、カバノアナタケは白樺の樹皮に寄生するキノコ菌糸体にふくまれている成分タンパク質と糖質との配合製品です。
【発明の効果】
【０００５】  海洋深層水はカルシウム、Ｍｇが多くカバノアナタケはタンパク質、糖質が多く、清涼飲料、健康飲料として手軽に利用出来ます、
アルコール、炭酸飲料、果汁とも一緒に利用が出来ます
【図１】
2005253445.tif 000003
【手続補正書】
【提出日】平成16年6月21日(2004.6.21)
【手続補正１】
【補正対象書類名】特許請求の範囲
【補正対象項目名】全文
【補正方法】変更
【補正の内容】
【特許請求の範囲】
【請求項１】
海洋深層水硬度数２００（カルシウム、マグネシウムとの濃度割合）を用いて均質化カバノアナタケ深層濃縮液と配合し、色素を特徴とするカバノアナタケ深層飲料の製造方法
【請求項２】
海洋深層水硬度数量が大きくなると、一定量の均質化カバノアナタケ深層濃縮液と配合すると、海洋深層水の色素が薄くなり、海洋深層水の硬度数量が小さくなると色素は濃くなる、又色素変化により味も変る特徴とするカバノアナタケ深層飲料の製造法。
【請求項３】
均質化カバノアナタケ深層濃縮液の分量と海洋深層水硬度数量、及びカバノアナタケ粉末成分のリグニン、フラボノイド、メラニンの分量によって色素変化を特徴とするカバノアナタケ深層飲料の製造方法、
【手続補正２】
【補正対象書類名】明細書
【補正対象項目名】全文
【補正方法】変更
【補正の内容】
【発明の詳細な説明】
【技術分野】
【０００１】  本発明は海洋深層水飲料はミネラル水として健康飲料や食品分野にも利用されている、一方カバノアナタケ（菌糸体）の粉末の栄養成分分析によると海洋深層水同様ミネラル分が非常に多く含まれている、双方が配合される事によって高度な有効成分の健康飲料、健康食品ができます、
消化器系、抗腫瘍、免疫活性などに有効である。
【背景技術】
【０００２】  カバノアナタケはキノコの一種であり、ロシアでは古くから野生薬草として医薬品とされている、抗腫瘍、低血圧、抗炎症、効能は悪性腫瘍防止、慢性胃炎、十二指腸、大腸炎、歯肉炎とされており、βグルカン、ＳＯＤ様活性、リグニンも含まれており、海洋深層水にも有効なミネラル分が含まれており、技術的にも双方が非常に配合に調和が取れ、味もよく、カバノアナタケ深層飲料が出来た。
【課題を解決するための手段】
【０００３】  本発明は海洋深層水の成分、特にマグネシウム、カルシウムが多く含まれており、カバノアナタケ粉末の栄養成分もミネラル分が多く、タンパク質、脂質、炭水化物なども含まれており、配合する場合に容易に出来た事です、健康維持にあたいすると共に健康飲料として提供する、味もまろやかで、香りはハーブ風味のカバノアナタケ深層飲料製品が出来ました。
【発明を実施するための最良の形態】
【０００４】  本発明は海洋深層水が健康飲料、食品に利用されており、カバノアナタケ粉末を海洋深層水で濃縮液を作ることが出来（均質化カバノアナタケ深層濃縮液）双方の配合が容易で、錠剤、顆粒、カプセルから見ても飲料の方が成分の即効性がある。
【発明の効果】
【０００５】  カバノアナタケ（菌糸体）が持つ薬効成分を利用して、特に雑菌少ない海洋深層水を利用してミネラル成分を特に引き出すことでミネラルが体内に入ると酵素が働きイオン化し、又ビタミンを摂ったところでミネラルがなければ体内における吸収がされず、機能を果たすことが出来ないため活性酸素を処理できなくなります、カバノアナタケ深層飲料が活性酸素を除去し、健康増進に寄与するものです。
【図面の簡単な説明】
【０００６】
【図１】海洋深層水１８０００ｍｌ硬度２００に対してカバノアナタケ粉末（菌糸体）５００ｇ混合し２４時間常温にします、その後６０℃〜９０℃、３０分加熱し均質化カバノアナタケ深層濃縮液が抽出され、５℃以下に保存する。
【図２】図１の均質化カバノアナタケ深層濃縮液を海洋深層水と容器充填分量配合する、割合は５００ｍｌのペットボトルに対して海洋深層水硬度２００、４２５ｍｌに対してカバノアナタケ深層濃縮液が７５ｍｌ充填配合され、検査（容器破損、異物混入有無）合格品にラベリングして未開栓日付作業して製品完成する。
【手続補正３】
【補正対象書類名】図面
【補正対象項目名】全図
【補正方法】変更
【補正の内容】
【図１】
2005253445.tif 000004
【図２】
2005253445.tif 000005